(57)【特許請求の範囲】
【請求項１】
待機電力遮断構造を備える電源供給装置であって、
外部電源を受信するためにコンセントに接続されるプラグを備え、前記プラグを通じて供給される外部電源を受信して電源供給対象装置に適合するように前記外部電源を変換し、前記電源供給装置の自体動作電源を発生する電源供給部と、
前記電源供給対象装置の接続端子に接続して前記電源供給対象装置に電源を供給するための電源供給端子と、前記外部電源と前記電源供給部との間の電源供給経路に設置され、前記電源供給部から提供されるスイッチング駆動信号によるソレノイドの駆動及びそれによる機械的移動によって、前記外部電源が前記電源供給部に提供される該当電源供給経路を導通又は遮断するスイッチング部を含むコネクタ部と、
前記電源供給部と前記コネクタ部を接続するケーブルと、を含み、
前記スイッチング部は、
前記コネクタ部が前記電源供給対象装置に接続される場合に前記電源供給対象装置との接触面に設置され、押圧されるように構成されるノブ、及び前記ノブの初期押圧によって前記スイッチング部の接点を電源供給経路の導通位置に移動する機械的構造物と、
手動で電源をオン/オフ操作するために設けられる手動操作スイッチ、及び前記手動操作スイッチの操作に従って前記スイッチング部の接点を電源供給経路の導通又は遮断位置に移動する機械的構造物と、を含み、
前記スイッチング部は、前記ノブが初期押圧される場合、前記手動操作スイッチも連動してオン状態の位置に移動し、前記手動操作スイッチが主体となってオフ状態又はオン状態の位置移動が前記ノブの移動に影響を与えないように機械的に構成され、
前記電源供給部は、前記スイッチング部を経て提供される電源の供給状態を確認し、確認した供給状態を通じて現在接続された前記電源供給対象装置のバッテリー満充電及び/又は電源オフ状態であると判断される場合、前記スイッチング部に前記スイッチング駆動信号を出力して前記スイッチング部が電源供給を遮断させることを特徴とする電源供給装置。
【請求項２】
前記スイッチング部は、
前記ノブが押圧される場合に前記ノブを元の位置に復元させる弾性力を提供するノブバネと、
前記ノブが押圧されることによってカムを所定の方向に移動するように押すカムレバーと、
前記カムレバーが前記カムを押した後に元の位置に復元させる弾性力を提供するレバーバネと、
前記カムレバーにより押されて移動するカムと、
前記カムと一体に形成される金属成分のスライドと、
前記カムが前記カムレバーにより移動した位置で前記カムの位置を維持するように前記スライドに引張力を提供するコアと一体に形成される磁石と、
前記磁石による引張力が弱くなる場合に前記カムが初期位置に復元されるように弾性力を提供するカムバネと、
前記カムと一体に形成されるように絶縁体で製造されるストライカーと、
前記スイッチング部の接点を形成し、前記カムが前記カムレバーによって移動する場合に前記ストライカーにより押される弾性接点、及び前記弾性接点が押さえられた場合に接続される固定接点と、を含み、
前記ソレノイドは、少なくとも前記固定接点及び弾性接点が接続された状態で接点をオープンするために前記スイッチング駆動信号により駆動され、
前記手動操作スイッチは、前記カムと一体化した構造のカムノブ形態で構成されることを特徴とする請求項１に記載の電源供給装置。
【請求項３】
前記電源供給部は、前記コネクタ部の電源供給端子を通じて該当接続された電源供給対象装置から動作電源が提供されるか否かを確認し、前記動作電源が提供される場合には前記スイッチング部にスイッチング駆動信号を出力して前記スイッチング部が電源供給を再開することを特徴とする請求項１又は２に記載の電源供給装置。
【請求項４】
前記電源供給部は、前記コネクタ部の電源供給端子を通じて該当接続された電源供給対象装置から動作電源が提供されるか否かを確認し、前記動作電源が提供される場合には前記スイッチング部がスイッチング駆動信号を出力して電源供給を再開することを特徴とする請求項１に記載の電源供給装置。
【請求項５】
前記電源供給部は、
前記プラグから前記スイッチング部を介して提供される電源を前記電源供給対象装置に適合した電源に変換して自体の動作電源を発生させる電源部と、
前記スイッチング部を介して提供される電源の供給状態を確認するための電流センシング部と、
前記電流センシング部から電流値を受信し、現在電源の供給状態を把握し、現在接続された前記電源供給対象装置がバッテリーの満充電及び/又は電源オフであると判断される場合、待機電力遮断のための制御信号を出力し、前記電源供給対象装置がオフ状態からオン状態になると判断して電源供給のための制御信号を出力する制御部と、
前記制御部から出力される制御信号に従って前記スイッチング部に前記スイッチング駆動信号を生成する駆動部と、
を含むことを特徴とする請求項４に記載の電源供給装置。
【請求項６】
前記電源供給対象装置は、ターンオン時にバッテリーの電源を前記電源供給装置のコネクタ部の電源供給端子に提供するためのスイッチング部駆動切替器を含み、
前記駆動部は、前記スイッチング部駆動切替器を通じて電源を受信して制御部の動作電源を発生して供給する定電圧装置をさらに含むことを特徴とする請求項５に記載の電源供給装置。
【請求項７】
前記駆動部は、前記制御部の制御信号によって前記スイッチング部を駆動するための手段として前記制御信号によってスイッチング動作を遂行する第１乃至第４のスイッチング素子の接続構造を含み、
前記第１及び第２のスイッチング素子は、各々共通に前記定電圧装置から提供される電源及び自体の動作電源を入力として受信し、前記第２のスイッチング素子の出力は、前記スイッチング部のソレノイドの第１の端子に接続され、前記第１のスイッチング素子の出力は前記ソレノイドの第２の端子に接続され、前記第３のスイッチング素子Ｑ３の入力は前記ソレノイドの第１の端子に接続され、出力は接地端子に接続され、前記第４のスイッチング素子の入力は前記ソレノイドの第２の端子に接続され、その出力は接地端子に接続されることを特徴とする請求項６に記載の電源供給装置。
【請求項８】
待機電力遮断構造を備える電源供給装置であって、
外部電源を受信するためにコンセントに接続されるプラグを備え、前記プラグを通じて供給される外部電源を受信して電源供給対象装置に適合するように前記外部電源を変換し、前記電源供給装置の自体動作電源を発生する電源供給部と、
前記電源供給対象装置の接続端子に接続して前記電源供給対象装置に電源を供給するための電源供給端子と、前記外部電源と前記電源供給部との間の電源供給経路に設置され、前記電源供給部から提供されるスイッチング駆動信号によるソレノイドの駆動及びそれによる機械的移動によって、前記外部電源が前記電源供給部に提供される該当電源供給経路を導通又は遮断するスイッチング部を含むコネクタ部と、
前記電源供給部と前記コネクタ部を接続するケーブルと、を含み、
前記電源供給部は、前記スイッチング部を経て提供される電源の供給状態を確認し、確認した供給状態を通じて現在接続された前記電源供給対象装置のバッテリー満充電及び／又は電源オフ状態であると判断される場合、前記スイッチング部に前記スイッチング駆動信号を出力して前記スイッチング部が電源供給を遮断させ、
前記電源供給部は、前記コネクタ部の電源供給端子を通じて該当接続された電源供給対象装置から動作電源が提供されるか否かを確認し、前記動作電源が提供される場合には前記スイッチング部がスイッチング駆動信号を出力して電源供給を再開し、
前記電源供給部は、
前記プラグから前記スイッチング部を介して提供される電源を前記電源供給対象装置に適合した電源に変換して自体の動作電源を発生させる電源部と、
前記スイッチング部を介して提供される電源の供給状態を確認するための電流センシング部と、
前記電流センシング部から電流値を受信し、現在電源の供給状態を把握し、現在接続された前記電源供給対象装置がバッテリーの満充電及び／又は電源オフであると判断される場合、待機電力遮断のための制御信号を出力し、前記電源供給対象装置がオフ状態からオン状態になると判断して電源供給のための制御信号を出力する制御部と、
前記制御部から出力される制御信号に従って前記スイッチング部に前記スイッチング駆動信号を生成する駆動部と、を含み、
前記駆動部は、前記制御部の制御信号によって前記スイッチング部を駆動するための手段として、前記制御信号によってスイッチング動作を遂行する第１乃至第４のスイッチング素子の接続構造を含み、
前記第１及び第２のスイッチング素子は、各々共通に前記自体の動作電源を入力として受信し、前記第２のスイッチング素子の出力は前記スイッチング部のソレノイドの第１の端子に接続され、前記第１のスイッチング素子の出力は前記ソレノイドの第２の端子に接続され、前記第３のスイッチング素子Ｑ３の入力は前記ソレノイドの第１の端子に接続され、出力は接地端子に接続され、前記第４のスイッチング素子の入力は前記ソレノイドの第２の端子に接続され、その出力は接地端子に接続されることを特徴とする電源供給装置。
【請求項９】
前記制御部は、初期電源供給の際に、前記電流センシング部から電流値を読み取って確認し、所定時間の間に測定しても電流変化がない場合、前記電源供給対象装置の電源オフ及び/又はバッテリー電源が満充電されると判定されることを特徴とする請求項５乃至８のいずれか１項に記載の電源供給装置。
【発明の詳細な説明】
【技術分野】
【０００１】
本発明は、従来のノートパソコン、ネットブック、ラジオ、及びＣＤプレーヤーのような多様なＤＣ電源を必要とする電子製品に電源を供給する電源供給装置に関するもので、特に製品の電源‘オフ’時に待機電力を遮断する機能を備えることによって、製品の電源が‘オフ’状態とされる場合に自動で待機電力を遮断できる技術に関する。
【背景技術】
【０００２】
一般的に、充電バッテリー付きの製品(例えば、ノートパソコン又はネットブックなど)や充電バッテリーのない製品(例えば、ラジオ、ＣＤプレーヤーなど)に電源を供給する電源供給装置は、該当製品に接続されるコネクタ部と、商用ＡＣ電源に連結されるプラグを備え、商用ＡＣ電源を該当製品に適したＤＣ電源に変換してコネクタ部を介して製品に提供する構成を有する。
【０００３】
しかしながら、このような電源供給装置は、製品の電源が‘オフ’状態でも、あるいはバッテリーの満充電状態でも継続して待機電力が発生することによって電力が浪費されるという問題点があった。
【０００４】
このような問題点によって、最近韓国をはじめとして全世界的に待機電力を法的に規制するプログラムが用意されている。韓国では、２０１０年から電源供給装置の場合に待機電力を１Ｗに規制しており、ヨーロッパの場合２０１０年には１Ｗ以下に規制したが、２０１３年には０.５Ｗに規制する法案が通過して施行される予定である。
【０００５】
そのため、電源供給装置で待機電力を最小限に維持するか、又は遮断するための方案が切実に要求されている実情である。
【発明の概要】
【発明が解決しようとする課題】
【０００６】
したがって、本発明は上記した従来技術の問題点に鑑みてなされたものであって、その目的は、電子製品のバッテリーが満充電状態となるか、あるいは電子製品の電源が‘オフ’状態となると、プラグを抜かずに待機電力を全く遮断できる電源供給装置を提供することにある。
【０００７】
本発明の他の目的は、電源‘オフ’状態の電子製品の待機電力を全く遮断し、該当電子製品の電源‘オン’状態が要求される場合に電子製品の電源を‘オン’状態とすることによって、自動で‘オン’状態に切り替え可能な電源供給装置を提供することにある。
【課題を解決するための手段】
【０００８】
上記のような目的を達成するために、本発明の一態様によれば、待機電力遮断構造を備える電源供給装置が提供される。その装置は、外部電源の供給を受けるためにコンセントと接続するプラグを備え、プラグを通じて供給される外部電源を受けて電源供給対象装置に適合するように外部電源を変換し、電源供給装置の自体動作電源を発生させる電源供給部と、電源供給対象装置の接続端子と接続して電源供給対象装置に電源を供給するための電源供給端子と、外部電源と電源供給部との間の電源供給経路に設置され、電源供給部から提供されるスイッチング駆動信号によるソレノイドの駆動及びそれによる機械的移動によって、外部電源が電源供給部に提供される該当電源供給経路を導通又は遮断するスイッチング部を含むコネクタ部と、電源供給部とコネクタ部を接続するケーブルとを含み、電源供給部は、スイッチング部を経て提供される電源の供給状態を確認し、確認した供給状態を通じて現在接続された電源供給対象装置のバッテリー満充電及び/又は電源オフ状態であると判断される場合、スイッチング部にスイッチング駆動信号を出力してスイッチング部が電源供給を遮断させる。
【発明の効果】
【０００９】
本発明は、ノートパソコン又はネットブックの電源が‘オフ’状態となり、バッテリーが満充電状態となる場合、該当製品への入力電源を遮断して待機電力をゼロにし、電子製品(ラジオ、ＣＤプレーヤーなど）の電源を‘オフ’状態とすると、待機電力をゼロにして不要な電力浪費を防止する効果がある。なお、本発明は、電源‘オフ’状態の電子製品で電源‘オン’状態が要求される場合に自動で電源‘オン’状態に切り替えられる電源供給装置を提供する効果がある。
【図面の簡単な説明】
【００１０】
【図１Ａ】本発明の一実施形態による待機電力遮断構造を備える電源供給装置を示す概略的な外観構成図である。
【図１Ｂ】本発明の一実施形態による待機電力遮断構造を備える電源供給装置を示す概略的な外観構成図である。
【図２】本発明の一実施形態による待機電力遮断構造を備える電源供給装置と関連製品を示す内部回路のブロック構成図である。
【図３】図１又は図２のうち、スイッチング部の一実施形態を示す詳細平面及び側面構成図である。
【図４】図１又は図２のうち、スイッチング部の一実施形態を示す詳細平面及び側面構成図である。
【図５】図１又は図２のうち、スイッチング部の一実施形態を示す詳細平面及び側面構成図である。
【図６】図１又は図２のうち、スイッチング部の一実施形態を示す詳細平面及び側面構成図である。
【図７】図１又は図２のうち、スイッチング部の一実施形態を示す詳細平面及び側面構成図である。
【発明を実施するための形態】
【００１１】
以下、本発明の望ましい実施形態を添付の図面を参照して詳細に説明する。
【００１２】
図面において、同一の構成要素に対してはできるだけ同一の参照符号及び参照番号を付して説明する。下記の説明で、本発明に関連した公知の機能又は構成に関する具体的な説明が本発明の要旨を不明にすると判断された場合に、その詳細な説明を省略する。また、後述する用語は、本発明の機能を考慮して定義されたものであって、ユーザー、運用者の意図、又は慣例によって変わることができる。したがって、上記用語は、本明細書の全体内容に基づいて定義されなければならない。
【００１３】
本発明は、充電バッテリーを使用する電子製品(ノートパソコン、ネットブックなど）が電源‘オフ’状態となり、バッテリーが満充電状態となる場合、あるいは充電バッテリーを使用しない電子製品(ラジオ、ＣＤプレーヤーなど)が電源‘オフ’状態となり、電源プラグがコンセントに接続されている場合でも待機電力を全く遮断する機能を有する電源供給装置を提案する。
【００１４】
図１Ａ及び図１Ｂは、本発明の一実施形態による待機電力遮断構造を備える電源供給装置を示す概略的な外観構成図である。図１Ａは製品に連結されない状態での電源供給装置の構成を示し、図１Ｂは製品３００(ノートパソコン、ネットブック、ラジオなど)に接続した状態での電源供給装置の構成を示す。図１Ａ及び図１Ｂを参照すると、本発明による電源供給装置は、商用ＡＣ電源の供給を受けるためにコンセントに挿入可能な構成を有するプラグ２０２と、商用ＡＣ電源を製品３００に適したＤＣ電源に変換して自分の動作電源を発生させる電源供給部２００と、製品３００に連結されるコネクタ部１００と、電源供給部２００とコネクタ部１００を連結するケーブル１２０とを含む。
【００１５】
このとき、コネクタ部１００は、製品３００の接続端子に嵌め込まれるように構成される＋/−電源供給端子１０１，１０２と、商用ＡＣ電源と電源供給部２００との間の電源供給経路に設置され、電源供給部２００から提供されるスイッチング制御信号によるソレノイドの駆動及びそれによる接点の機械的移動によって該当電源供給経路を導通又は遮断するスイッチング部２８０とから構成される。
【００１６】
このようなスイッチング部２８０は、コネクタ部１００が製品３００に接続される場合に製品３００との接触面に設置され、押圧するように構成されるノブ２１９を備える。ノブ２１９は、コネクタ部１００が製品と連結されない状態では後述するノブバネ２８１により元の状態に復元される構成を有する。このようなノブ２１９の初期押圧によって、スイッチング部２８０の接点は、電源供給経路を導通する位置に追加的に移動できるように機械的に構成される。また、スイッチング部２８０は、手動で電源を‘オン’、‘オフ’可能にする後述の手動操作スイッチ２９５を含む。同様に、手動操作スイッチ２９５は、スイッチング部２８０の接点を移動できるように機械的に構成される。このとき、ノブ２１９が初期押圧される場合、手動操作スイッチ２９５は、連動してオン状態の位置に移動するように機械的に構成され、この手動操作スイッチ２９５が主体となるので、オフ状態又はオン状態による位置移動は、ノブ２１９の移動に影響を及ぼさないように機械的に構成することができる。
【００１７】
電源供給部２００は、スイッチング部２８０を経て提供される電源の供給状態を確認する。供給状態を通じて現在接続された製品がバッテリー満充電又は電源オフ状態であると判断される場合、スイッチング部２８０にスイッチング制御信号を出力し、スイッチング部２８０が電源供給を遮断するようにする。また、電源供給部２００は、コネクタ部１００の電源供給端子を通じて接続された製品から動作電源が提供されるか否かを確認し、その結果、動作電源が提供される場合には、スイッチング部２８０にスイッチング制御信号を出力する。すると、スイッチング部２８０は、電源供給を再び開始する。
【００１８】
以下、上記したコネクタ部１００及び電源供給部２００の構成及び動作について、添付の図面を参照してより詳細に説明する。まず、図３乃至図７を参照して、コネクタ部１００に設けられるスイッチング部２８０の機械的構造及びそれによる動作について、より詳しく説明する。
【００１９】
図３乃至図７は、図１又は図２のうち、スイッチング部の一実施形態を示す詳細平面及び側面構成図である。図３は、初期コネクタ部１００が製品３００に連結されない場合にスイッチング部２８０の状態を示し、図４は、コネクタ部１００が製品３００に連結される途中で、すなわちノブ２１９が初期に押圧される途中でスイッチング部２８０の状態を示し、図５はノブ２１９が全く押された状態を示し、図６は電源遮断動作又は手動オフ操作によるスイッチング部２８０の状態を示し、図７はコネクタ部１００が製品３００から分離される途中でスイッチング部２８０の状態を示す。
【００２０】
図１及び図３乃至図７を参照すると、スイッチング部２８０は、製品３００にコネクタ部１００が挿入される場合、メイン電源が電源供給部２００に供給されるようにコネクタ部１００の所定位置に位置させてＤ方向に押圧されるノブ２１９と、ノブ２１９がＣ方向に解けると、元の位置にノブ２１９を復元するためにノブバネ２８１とを取り付ける。
【００２１】
また、スイッチング部２８０は、ノブ２１９が押圧されることによってカム２９４がＡ方向に移動するように押すカムレバー２８２と、カムレバー２８２がカム２９４を押してから、元の位置に復元するレバーバネ２８３とを含む。
【００２２】
一方、カムレバー２８２がカム２９４を押す場合、カム２９４は、Ａ方向へ移動し、コア２８７に一体に形成された磁石２８８の力によってカム２９４と一体化した金属成分のスライド２９３がコア２８７に引き付けられるように構成することで、カム２９４がＡ方向へ移動された位置を維持するようにする。このとき、カムバネ２９２は、カム２９４がＢ方向の初期位置に復元するようにカム２９４に取り付けられる。カム２９４がコア２８７に磁石２８８の磁力により付けられている場合、該当磁力の強さがカムバネ２９２による復原力より強くなるように構成して、カムバネ２９２は、コア２８７に付けている状態を維持するようにする。
【００２３】
また、ストライカー２９１は、カム２９４と一体に形成するように絶縁体で製作され、カム２９４がＡ方向へ移動する場合に弾性接点２８６を押し、それによって、この弾性接点２８６は、固定接点２８５に接続するように構成される。スイッチング部２８０を通した供給電源は、弾性接点２８６及び固定接点２８５の接続に従って提供及び遮断される。
【００２４】
固定接点２８５と弾性接点２８６が接続された状態で接点をオープンするために、ソレノイド２８４に一方向に電流を流れる場合、ソレノイド２８４は、磁石２８８と反発力が発生してカムバネ２９２がＢ方向に復元されて分離するように備えられる。
【００２５】
このような構成を有するスイッチング部２８０の動作を説明すると、ノートパソコンやネットブックのような電子製品にコネクタ部１００が接続される場合、ノブ２１９は、Ｄ方向に押圧されてカムレバー２８２が図４に示すように上側にカム２９４を押し、それによってカム２９４と一体化した金属導体で構成されるスライド２９３は、コア２８７と一体に形成された磁石２８８の引力により引き付けられる。したがって、カム２９４と一体化した絶縁材質からなるストライカー２９１は、Ａ方向に運動して固定接点２８５と弾性接点２８６を接続させ、それによって電源が供給される。ノブ２１９は、カムレバー２８２を押して下降する場合、レバーバネ２８３によりレバー２８２が元の位置に戻り、図５に示すような状態に維持される。
【００２６】
この状態で、図６に示すように、マイコン(後述する図２のマイコンＵ２)は、電源供給経路に流れる電流を通じて、該当ノートパソコンやネットブックのような製品の電源がオフ状態となり、バッテリーが充電中であるか否かを判定する。その結果、バッテリーが満充電されて供給電流が基準電流ｉ１以下である場合、マイコンは、ソレノイドコイル２８４の一方向に電圧を印加して磁石２８８と反発力が発生する。すると、スライド２９３は、カムバネ２９２によりＢ方向にカム２９４を引いてストライカー２９１も元の位置に戻るようにし、固定接点２８５と弾性接点２８６が離れて入力電源を相互に遮断して待機電力を遮断する。
【００２７】
このとき、電源をオン状態にするようにカム２９４と一体化した構造で構成されたカムノブ形態の手動操作スイッチ２９５はＢ方向に移動し、ユーザーは、現在オン/オフ状態を目で区分することができる。
【００２８】
ノートパソコン又はネットブックのような電子製品にコネクタ部１００が挿入された状態でターンオンしようとする場合に、手動操作スイッチ２９５をＡ方向に押すと、ノブ２１９を押圧して電源を供給することと同様に、固定接点２８５と弾性接点２８６が接続されて図５に示すような状態となる。このように、手動操作スイッチ２９５を通じて手動でも電源を供給することもできる。
【００２９】
一方、図７に示すように、ノートパソコンやネットブックのような電子製品３００の接続端子からコネクタ部１００を取り出す場合、ノブ２１９は、ノブバネ２８１が元のＣ方向に復元されつつ元の位置に戻る。このとき、カムレバー２８２は、ノブ２１９がＤ方向に押圧される場合と反対にＣ方向に動き、カム２９４と接触せずに図３に示すような状態となる。
【００３０】
このとき、製品が分離されると、供給電流が基準電流ｉ１以下になるので、マイコンは、ソレノイドコイル２８４の一方向に電圧を印加する場合、磁石２８８と反発力が発生してスライド２９３がカムバネ２９２によりＢ方向にカム２９４を引き、ストライカー２９１も共に元の位置に戻って固定接点２８５と弾性接点２８６が離れる。その結果、入力電源を切断して待機電力が遮断される。
【００３１】
図２は、本発明の一実施形態による待機電力遮断構造を備える電源供給装置と関連製品の内部回路を示すブロック構成図であって、例えばバッテリーを備える製品３００に接続される電源供給装置２００の構成を示す。図２を参照して、まず、製品３００の内部構成を説明すると、例えばノートパソコン又はネットブックなどの製品３００は、情報処理及び制御するメインボード(Main B/D)と、データを入力するためのキーボード(Key B/D)と、画面表示のためのディスプレイ部と、携帯時に電源として使用されるバッテリーと、バッテリーの充電を制御するバッテリー充電部と、電源供給装置から供給されるＤＣ電源又はバッテリー電源を該当製品により要求される電源に変換するＤＣ/ＤＣコンバータ(converter)と、電源を‘オン’、‘オフ’状態にする電源スイッチ(P/SW)と、電源スイッチの‘オン’、‘オフ'状態に従って電源を制御する電力制御部と、電源‘オフ’状態で電源を制御するために電源を供給するスタンバイ電源部３０２と、電源‘オン’信号が感知されると、ＤＣ/ＤＣコンバータに電源が供給されるスタンバイ電源部３０２及びその内部の切替器(switcher)３０３と、電源が‘オフ’状態で外部からインターネットに製品３００を駆動するためのウェークオンラン(Wake-on-LAN)３０５とを含む。
【００３２】
このような構成において、特に本発明の特徴によって、製品３００は、電源供給装置から電源が遮断された状態で電源‘オン’状態とすると、電源供給装置が動作するために電源を供給するスイッチング部駆動切替器３０１をさらに加えられる。この切替器３０１は、電力制御部の制御によってバッテリーの電源を電源供給装置のコネクタ部の電源供給端子に提供するスイッチングトランジスタＱ６で構成できる。
【００３３】
一方、該当製品が、例えばラジオや、ＣＤプレーヤーが充電バッテリーを有しない場合には、該当製品から電源供給装置に電源を供給する構成が備えられないので、既存の製品その通り使用することができる。
【００３４】
図２を参照して、電源供給装置の構成を説明すると、電源供給装置は、コネクタ部１００と、電源供給部２００で構成されるが、コネクタ部１００は、図１及び図３乃至図７に示すような構成を有するスイッチング部２８０を含む。加えて、電源供給部２００は、外部電源(ＡＣ１１０/２２０Ｖ）を受信するプラグ２０２と、該当プラグ２０２から(スイッチング部２８０を経て)提供された電源を製品３００に適合したＤＣ電源に変換して自身の動作電源(ＶＣＣ）を発生させる電源供給部２００と、スイッチング部２８０を経て提供される電源の供給状態を確認するための電流センシング部２０４と、電流センシング部２０４から電流値を受信して現在電源の供給状態を把握し、現在接続された製品がバッテリーの満充電及び/又は電源オフであると判断される場合、待機電力遮断のための制御信号を出力し、現在製品がオフ状態からオン状態に切り替えられると判定して電源供給のための制御信号を出力する制御部(マイコンＵ２及びメモリＵ１を包含)と、制御部から出力される制御信号に従ってスイッチング部２８０にスイッチング駆動信号を生成する駆動部２０１とを含む。この制御部を構成するマイコンＵ２は、演算及び判断動作を遂行し、メモリＵ１は製品の電源‘オフ’状態になり、バッテリーが満充電状態である場合(又はバッテリーを有しない製品の電源がオフ状態である場合)に流れる電流値を基準電流値として格納する役割を遂行する。
【００３５】
このとき、駆動部２０１は、電源供給装置の電源が遮断された状態でバッテリーを有する製品３００の電源スイッチが‘オン’状態になる場合、スイッチング部駆動切替器３０１を通じて電源を受信して制御部の動作電源を発生して供給する定電圧装置Ｑ７をさらに含むことができる。
【００３６】
また、駆動部は、制御部(マイコンＵ２）の制御信号によってスイッチング部２８０を駆動するための手段で、制御信号によってスイッチング動作を行う第１乃至第４のスイッチング素子(例えば、ｎｐｎ型スイッチングトランジスタＱ１，Ｑ２，Ｑ３，Ｑ４)の接続構造で実現することができる。
【００３７】
このとき、駆動部２０１の第１及び第２のスイッチング素子(トランジスタ)Ｑ１、Ｑ２は、各々共通に定電圧装置Ｑ７から提供される電源及び自体の動作電源(ＶＣＣ)を入力(例えば、コレクタ端)で受信し、第２のスイッチング素子Ｑ２の出力(例えば、エミッタ端)はスイッチング部２８０のソレノイドの第１の端子に接続され、第１のスイッチング素子Ｑ１の出力(エミッタ端子)はソレノイドの第２の端子に接続される。また、第３のスイッチング素子Ｑ３の入力(コレクタ端子）はソレノイドの第１の端子に接続され、出力(エミッタ端子)は接地端子に接続され、第４のスイッチング素子Ｑ４の入力(コレクタ端子）はソレノイドの第２の端子に接続され、出力(エミッタ端子)は接地端子に接続される構成を有する。
【００３８】
図２に示すような構成を有する本発明による電源供給装置の動作について説明する。電源供給装置は、コンセントに接続して製品３００に電源供給装置のコネクタ部１００が接続される場合、スイッチング部２８０のノブ２１９は、Ｄ方向に押圧されて上記したスイッチング部２８０の動作と同様に作動して図５に示すような状態となる。スイッチング部２８０は、その固定接点２８５と弾性接点２８６が接続されて電源部２０３に電源が印加される。その結果、電源部２０３は、電源供給装置に必要な電源と製品３００に必要な電源を生成して供給する。
【００３９】
必要な電源が供給される場合、マイコンＵ２は、電流センシング部２０４から電流値をアナログ/デジタルコンバータＡＤ１により読み取り、これを内部バッファに格納し、製品３００に流れる電流を継続してチェックして内部バッファの値と比較してバッファの値より小さいと、その小さい値をバッファの値に変える。製品３００の電源が‘オフ’状態であり、バッテリー電源が満充電された場合、電流値は変化がないので、所定時間Ｔの間さらに測定しても電流変化がない場合には電源が‘オフ’状態となり、バッテリー電源が満充電されえると見なし、バッファの電流値を基準  電流ｉ１として、すなわち電源‘オフ’の基準値としてＥ２-ＰＲＯＭメモリＵ１に格納する。その後、待機電力を遮断するために、マイコンＵ２の第２の出力Ｏ２は‘ハイ’状態で出力される。それによって、駆動部２０１の第１及び第３のスイッチングトランジスタＱ１、Ｑ３はターンオンされて電流がソレノイド２８４を通じて 点Ｐから点Ｕに流れる。カム２９４は、磁石２８８と反発力が発生してカムバネ２９２によりＢの方向に引き付けられる。そのため、ストライカー２９１は元の位置に戻り、固定接点２８５と弾性接点２８６は、図６に示すように離れるので、入力電源を切断して待機電力を遮断する。
【００４０】
電源が‘オフ’状態である場合でも、製品３００には最小限の必要な電源がスタンバイ電源部３０２から供給されるため、外部からインターネットを介してウェークオンラン感知部３０５に信号が受信される場合、あるいは製品３００の電源スイッチ(Ｐ/ＳＷ)が‘オン'状態になる場合、電力制御部は、これを感知して出力Ｏ４を通じて切替機３０３に制御信号を送信する。したがって、ノートパソコンのような製品３００は、ＤＣ/ＤＣコンバータを作動して必要な電源の供給を受けて正常動作を遂行する。
【００４１】
また、電力制御部は、出力Ｏ３を通じてスイッチング部電源切替器３０１に制御信号を予め定められた一定時間ｔ１の間に送信し、それによってバッテリー電源が電源供給装置の駆動部２０１の定電圧装置Ｑ７を通じてマイコンＵ２に供給され、マイコンＵ２は動作を始める。マイコンＵ２は、初期動作を始めて第１の出力Ｏ１に‘ハイ’パルス出力を送信して駆動部２０１の第２及び第４のスイッチングトランジスタＱ２，Ｑ４をターンオンさせる。それによって、電流が ソレノイド２８４を通して点Ｕから点Ｐに流れ、スライド２９３は、磁石２８８と引力が発生してＡ方向にカム２９４を引き、それによってストライカー２９１は、図５に示すように、弾性接点２８６と接点２８５を接続させる。したがって、電源供給装置は、電源が供給されて製品３００に必要な電源を供給する。
【００４２】
一方、バッテリーがない製品に連結される場合、本発明による電源供給装置の動作について説明する。この場合、バッテリーのある製品に連結される場合と同様に、電源供給装置は、コンセントを接続して製品３００にそのコネクタ部１００を接続させると、スイッチング部２８０のノブ２１９はＤ方向に押圧されて上記に説明したスイッチング部２８０の動作と同様に作動することによって、図５に示すような状態となる。すると、スイッチング部２８０の固定接点２８５と弾性接点２８６が接続されて電源部２０３に電源が印加され、それによって電源部２０３は、電源供給装置に必要な電源と製品３００に必要な電源を生成して供給する。
【００４３】
必要な電源が供給される場合、マイコンＵ２は、電流センシング部２０４から電流値をアナログ/デジタルコンバータＡＤ１により読み取り、これを内部バッファに格納し、製品３００に流れる電流を継続してチェックし、その結果、内部バッファの値と比較してバッファの値より小さいと、小さな値をバッファの値に変える。製品３００の電源が‘オフ’状態となる場合に電流値は変化しないため、予め定められた一定時間Ｔの間さらに測定しても電流変化がないと、電源が‘オフ’状態であると見なし、バッファの電流値を基準電流ｉ１として、すなわち電源‘オフ準値としてＥ２-ＰＲＯＭメモリＵ１に格納される。以後、待機電力を遮断するために、マイコンＵ２は、第２の出力Ｏ２を’ハイ‘状態で出力する。それによって、駆動部２０１の第１及び第３のスイッチングトランジスタＱ１，Ｑ３はターンオンされ、電流はソレノイド２８４を通じて点Ｐから点Ｕに流れ、カム２９４は、磁石２８８と反発力が発生してカムバネ２９２によりＢ方向に引き付けられる。したがって、ストライカー２９１は、元の位置に戻り、図６に示すように、固定接点２８５と弾性接点２８６が離れることで、入力電源を遮断して待機電力を遮断する。
【００４４】
このとき、バッテリーがない製品である場合、コネクタ部１００を分離せずに製品の電源を‘オン’状態にするためには、スイッチング部２８０の手動操作スイッチ２９５を図５に示すようにＡ方向に押して固定接点２８５と弾性接点２８６が接続される。それによって、電源供給装置に電源が供給され、製品に必要な電源が供給され、以後、製品は、電源を‘オン’状態にすると、正常動作を遂行する。
【００４５】
このような動作において、バッテリーがない製品である場合には、メモリＵ２を具備する必要なく、但し一定時間Ｔの間さらに測定しても電流に変化がないと、電源が‘オフ’状態であると見なして電源遮断動作のみを遂行する構成を有することもできる。
【００４６】
以上、本発明の詳細な説明においては、ノートパソコン又はラジオの電源供給装置を例として具体的な実施形態に関して説明したが、類似した他の製品も同じ構成原理が適用できることは、当該技術分野における通常の知識を持つ者には明らかである。また、添付した特許請求の範囲により規定されるような本発明の趣旨及び範囲を外れることなく、形式や細部の様々な変更が可能であることはもちろんである。したがって、本発明の範囲は、前述の実施形態に限定されるものではなく、特許請求の範囲の記載及びこれと均等なものに基づいて定められるべきである。
【符号の説明】
【００４７】
１００  コネクト部
１０１、１０２  電源供給端子
１２０  ケーブル
２００  電源供給部
２０１  駆動部
２０２  プラグ
２０４  電流センシング部
２１９  ノブ
２８０  スイッチング部
２８１  ノブバネ部
２８２  カムレバー
２８４  ソレノイド
２８５  固定接点
２８６  弾性接点
２８７  コア
２８８  磁石
２９１  ストライカー
２９２  カムバネ
２９３  スライド
２９４  カム
２９５  手動操作スイッチ
３００  製品
３０１  スイッチング部駆動切替器
３０２  スタンバイ電源部
３０３  切替器
３０５  ウェークオンラン感知部
【図１（ａ）】
0005546080.tif 000002
【図１（ｂ）】
0005546080.tif 000003
【図２】
0005546080.tif 000004
【図３】
0005546080.tif 000005
【図４】
0005546080.tif 000006
【図５】
0005546080.tif 000007
【図６】
0005546080.tif 000008
【図７】
0005546080.tif 000009